(57)【要約】【課題】字幕情報からＵＲＬを取得する仕組みを採用したときに生じる問題点を解消し、ユーザが便利にかつ安心して使用でき、また受信機開発者が便利に開発することのできるテレビ受信装置を提供すること。【解決手段】字幕の文字列から、ＵＲＬアドレス情報を取得し、その値を保持するＵＲＬ検出部と、機器の内部情報を保持する機器内部情報記憶装置部と、機器内部情報記憶装置部から得た情報から、ブラウザが実装されているかどうかを判別するブラウザ判定部と、字幕処理などへの受け渡しを行う、表示制御部と、ブラウザへＵＲＬの受け渡しを行うブラウザ処理部とを設ける。【選択図】図１
2007088861.tif 000002
【特許請求の範囲】
【請求項１】
放送信号に含まれる字幕の文字列から、ＵＲＬアドレス情報を取得するＵＲＬ検出部と、
自装置に関する内部情報を保持する機器内部情報記憶装置部と、
機器内部情報記憶装置部に保持された内部情報に基づいて、自装置にブラウザが実装されているかどうかを判別するブラウザ判定部と、
表示手段と、
前記ＵＲＬ検出部がＵＲＬアドレス情報を取得したとき、
前記ブラウザ判定部が自装置はブラウザを実装していると判別した場合には、前記ブラウザは、前記ＵＲＬ検出部が取得したＵＲＬアドレス情報によって特定されるホームページにアクセスし、前記表示手段はアクセスしたホームページを表示する一方、
前記ブラウザ判定部が自装置はブラウザを実装していないと判別した場合には、前記表示手段はＵＲＬアドレス情報に含まれる情報を表示する、
テレビ受信装置。
【請求項２】
フィルタリングキーワードを入力するキーワード入力部と、
前記入力したフィルタリングキーワードと、前記ＵＲＬ検出部で保持されたＵＲＬアドレス情報に含まれる文字列とがマッチするかどうかを比較するフィルタリング部と、を備え、
前記フィルタリング部がマッチすると判断したときは、ブラウザが実装されていても、前記ブラウザは前記マッチしたＵＲＬアドレス情報によって特定されるホームページにはアクセスしない、
請求項１に記載のテレビ受信装置。
【請求項３】
前記キーワード入力部は、外部のサーバからネットワークを通じてフィルタリングキーワードを取得する、請求項２に記載のテレビ受信装置。
【請求項４】
ブラウザがデータ放送などを表示している最中であるかどうかを判別し、表示している最中である場合、表示していない場合で処理を分岐させるブラウザ状態取得部を有することを特徴とする、請求項１に記載のテレビ受信装置。
【請求項５】
前記ブラウザ判定部でブラウザが無いと判断された場合に、ユーザの設定によってＵＲＬをそのまま表示するか、外部メモリカードにデータを保存しておくかを判定する保存スイッチと、外部メモリと、内部メモリと、外部メモリが存在した場合には外部メモリへ、存在しない場合には内部メモリに対してデータを保存する外部メモリ判定部とを有することを特徴とする、請求項１または請求項３に記載のテレビ受信装置。
【発明の詳細な説明】
【技術分野】
【０００１】
本発明は、字幕から流れるＵＲＬ情報を表示するテレビ受信装置に関する。
【背景技術】
【０００２】
近年、テレビ受信において、モバイルに搭載されたテレビ受信機の開発が活発である。移動体受信に関わらず、携帯受信においても、テレビ受信機搭載型の端末が発売されている。２００５年度末には、地上デジタル放送をモバイル受信向けに放送する、１セグメント地上波デジタル放送がスタートする予定である。地上波デジタル放送では、アナログ放送と比べて画質が向上するだけでなく、データ放送といった、デジタル放送独自の放送を受信することが可能となる。デジタル放送では、アナログ放送と同じように文字放送、字幕放送を流すことが可能である。
【０００３】
従来、字幕放送とは、主として聴覚に障害がある方々のために、テレビの音声（アナウンスやナレーション、ドラマの台詞など）を文字にしたり、ＢＧＭやドラマの効果音を記号にして表示することで、番組の内容をよりよく理解し、視聴者を楽しませるものであった。字幕放送で流れる文字列は、一般のテレビ画面で見られる文字列と違い、画面に埋め込まれているわけではない。字幕放送の文字列は専用のチューナを通してしか見ることができず、クローズド・キャプションとも呼ばれ、必要である人に対してのみ選択的に見せるものである。
【０００４】
近年の携帯受信機端末では、インターネットへの接続機能を利用するためのブラウザを搭載している端末がほとんどである。ブラウザは、ＵＲＬを入力することでインターネット上のホームページを表示させることが可能である。しかし、従来は、ＵＲＬを元にインターネットにアクセスする場合、ブラウザにＵＲＬを入力する必要があった。そのため、端末使用者はまず、放送番組などで知ったＵＲＬを紙にメモし、ＷＷＷブラウザを起動、更にＵＲＬを手作業で入力する必要があった。
【０００５】
上記問題を解決するために、現在では、字幕とブラウザをあわせることによって、新たなサービスを提供することが可能となっている。例えば、字幕にＵＲＬ情報を流し、そのＵＲＬ情報を持ってブラウザがホームページを表示させるというシステムである。上記字幕のＵＲＬ情報を読み取ってホームページを表示させるというシステムは、従来例として特許文献１がある。
【０００６】
以上のように、上記従来例では、画面の文字や文字放送からの文字情報からＵＲＬを抽出し、ＷＷＷブラウザを起動、登録するため、利用者は放送で紹介されたＵＲＬを容易に見ることが可能となる。
【特許文献１】特開平１０−１４５６８７号公報
【発明の開示】
【発明が解決しようとする課題】
【０００７】
しかし、従来は各社が独自のプラットフォーム開発を行うため、上記発明を利用することができない場合があった。
【０００８】
本発明は上記課題を解決するもので、ブラウザが搭載されているかどうかを判断し、搭載されている場合にはＵＲＬを読み取ってホームページを表示し、ブラウザが搭載されていない場合には、ＵＲＬをそのまま表示するシステムを提供する。これにより、ブラウザが搭載されていない端末に対して、ブラウザを後から搭載させた場合でも、新たな機能追加をすることなく、字幕に流れるＵＲＬを表示することが可能となる。
【課題を解決するための手段】
【０００９】
この目的を達成するために本発明のテレビ放送受信端末は、以下のような構成を採用した。なお、参照符号は、本発明の理解を助けるために図面との対応関係を示したものであって、本発明の範囲を何ら限定するものではない。
【００１０】
第１の発明は、字幕の文字列から、ＵＲＬアドレス情報を取得し、その値を保持するＵＲＬ検出部１０と、機器の内部情報を保持する機器内部情報記憶装置部１７と、機器内部情報記憶装置部１７から機器内部情報を取得し、ブラウザが実装されているかどうかを判別するブラウザ判定部１２と、字幕処理などへの受け渡しを行う、表示部制御部１５と、ブラウザへＵＲＬの受け渡しを行うブラウザ処理部１４とを備えたテレビ放送受信端末である。
【００１１】
第２の発明は、第１の発明において、ユーザによって入力されたフィルタリングキーワードを保持し、前記ブラウザ判定部１２の前の段階でＵＲＬ文字列とを比較し、マッチした場合にはブラウザ判定部１２をスキップして前記表示制御部１５に処理を移すフィルタリング部１１とを有することを特徴とする。
【００１２】
第３の発明は、第２の発明において、フィルタリングキーワードをユーザに入力させるのではなく、外部のサーバからネットワークを通じて取得することを特徴とする。
【００１３】
第４の発明は、第１の発明において、ブラウザがデータ放送などを表示している最中であるかどうかを判別し、表示している最中である場合、表示していない場合で処理を分岐させるブラウザ状態取得部１３を有することを特徴とする。
【００１４】
第５の発明は、第１の発明において、前記ブラウザ判定部１２でブラウザが無いと判断された場合に、ユーザの設定によってＵＲＬをそのまま表示するか、外部メモリカードにデータを保存しておくかを判定する保存スイッチと、外部メモリカードにデータを保存する外部メモリ部２１と、外部メモリが存在しないことを検知し、内部メモリ２０に対してデータを保存する外部メモリ判定部１９とを有することを特徴とする。
【発明の効果】
【００１５】
上記第１の発明によれば、字幕から取得したＵＲＬ情報からブラウザを通して表示する際、ブラウザがある場合とない場合において判定部を設けるため、それぞれの処理に分岐をさせることが可能となる。これにより、ブラウザが搭載されていない機器に対しても本発明を搭載することが可能となり、後にブラウザを搭載することになっても、特別な追加機能を必要とせずに、ＵＲＬ取得からブラウザでの表示までのシステムを使用可能となる。
【００１６】
上記第２の発明によれば、フィルタリングキーワードを入力し、それにマッチしたＵＲＬを取得した場合、ブラウザにてホームページを取得する動作をスキップし、例えば画面表示のみに動作を抑えることができる。これにより、ブラウザ起動とブラウザ処理を必要のない場合には省くことができ、受信機端末においてＣＰＵを浪費しないことによって低消費電力を実現することが可能となる。
【００１７】
上記第３の発明によれば、キーワードの入力をユーザからではなく外部サーバからネットワーク経由で取得するため、ユーザが入力する必要がなく、かつサーバ側で洗練されたキーワードをフィルタリングキーワードとして登録することが可能となる。
【００１８】
上記第４の発明によれば、ブラウザが表示中であるかどうかを判定するため、ブラウザが表示中の場合はＵＲＬをブラウザに渡し、ＵＲＬの示すホームページを表示し、また、ブラウザが表示中でなければ、そのまま表示する、または、ブラウザを改めて起動するというように、処理を分岐させることが可能となる。
【００１９】
上記第５の発明によれば、ブラウザが搭載されていない受信機を使用していた場合、ユーザがスイッチを操作することによって、ＵＲＬをそのまま画面に表示する場合と、ＵＲＬを文字列として外部メモリに格納することが可能となる。これにより、外部メモリに格納した場合には、ＵＲＬをユーザが記録しておく必要はなく、その外部メモリをブラウザが搭載されていて且つネットワークに接続している機器で参照すれば、目的のホームページを取得することが可能となる。また、外部メモリが存在するかどうかを自動的に判別し、無い場合には内部メモリに格納するため、ユーザは外部メモリがあるかどうかを意識することなく、ＵＲＬ情報を内部メモリに保存することが可能となる。
【発明を実施するための最良の形態】
【００２０】
（実施の形態１）
以下、本発明の実施形態１にかかるテレビ放送受信端末について説明する。
【００２１】
図１は、テレビ放送受信端末の構成を示すブロック図である。図１において、テレビ放送受信端末は、ＵＲＬ検出部１０、フィルタリング部１１、ブラウザ判定部１２、ブラウザ状態取得部１３、ブラウザ処理部１４、表示制御部１５、ユーザ入力部１６、機器内部情報記憶装置１７、および表示部１８を備えている。
【００２２】
ＵＲＬ検出部１０は、字幕放送からＵＲＬを検出するための装置であって、従来技術の特許文献１にある発明にある手段を用いて、ＵＲＬを検出することが可能となる。
【００２３】
フィルタリング部１１は、ユーザ入力部１７から入力されたキーワードをリストとして保持し、ＵＲＬ検出部１０から得たＵＲＬと、キーワードのマッチングを取る。キーワードとマッチした場合、ＵＲＬはブラウザ表示してはならないものとして、表示制御部１５に処理を移す。
【００２４】
ブラウザ判定部１２では、フィルタリング部１１からの信号をトリガに、機器内部情報記憶装置部１７からブラウザに関する情報を取得する。その情報から、ブラウザが搭載されているかどうかを判定する。ブラウザが搭載されているのであれば、ブラウザ状態取得部１３に処理を移し、またブラウザが無い場合には、表示制御部１５に処理を移す。ここでは、機器内部情報記憶装置部１７から得られた情報はその受信機固有のデータであり、任意のフォーマットとパラメータの中から、ブラウザの搭載状況を判断する。
【００２５】
ブラウザ状態取得部１３では、ブラウザが現在動作しているかどうかを判断する。ブラウザが立ち上がっている状態であれば、即ブラウザ処理部１４に処理を移す。ブラウザが動作していない場合は、表示制御部１５に処理を移す。
【００２６】
ブラウザ処理部１４では、ブラウザ状態取得部１３から得たＵＲＬ情報から、ホームページのコンテンツを取得する。コンテンツ取得までの流れは任意である。
表示制御部１５では、表示制御の機能を提供するものであり、入力された文字列や画像を、画像信号に変換する。表示部１８は、表示制御部１５によって生成された画像信号に基づいて画像を表示するものである。表示部１８としては、ＬＣＤ（Ｌｉｑｕｉｄ  Ｃｒｙｓｔａｌ  Ｄｉｓｐｌａｙ）や有機ＬＥＤ（ＯＬＥＤ＝Ｏｒｇａｎｉｃ  Ｌｉｇｈｔ  Ｅｍｉｔｔｉｎｇ  Ｄｉｏｄｅ）ディスプレイなど、任意の表示装置を利用することができる。
【００２７】
ユーザ入力部１６は、ユーザの操作を入力するための装置であって、キーや、マウスや、ジョイスティックや、スタイラスなど、任意の入力装置を利用することができる。
【００２８】
機器内部情報記憶装置部１７は、機器内部のスペック状態を保持している。ブラウザ情報、キー情報、その他任意のハードウェア情報、ソフトウェア情報を保持することが可能である。機器内部情報記憶装置部１７としては、ハードディスクのような不揮発性の記憶装置を利用しても良いし、ＲＡＭのような揮発性の記憶装置を利用しても良い
なお、フィルタリング部１１は、入力をユーザ入力部１５からではなく、ネットワーク経由でサーバからデータを取ってきても良い。この場合、ユーザは機器を操作することなく、自動的にサーバに保存されているキーワードをネットワーク経由で取得し、フィルタリングキーワードを設定する。
【００２９】
なお、ブラウザ状態取得部１３でブラウザが動作していない場合は、表示制御部１５に移動していたが、これを別の任意の制御に移すことも可能である。また、ブラウザを起動するように制御しても良い。その場合の起動の制御をユーザからのスイッチ入力によって選択しても良い。
【００３０】
以下、放送データ中の字幕情報を取得してから、表示画面へのデータ表示までの処理について、図３のフローチャートを参照して説明する。
【００３１】
図３のステップＳ１０で、ＵＲＬ検出部１０は、符号化された字幕放送データから、ＵＲＬ情報を取得する。
【００３２】
図３のステップＳ１１で、フィルタリング部１１は、ステップＳ１０で得たＵＲＬ情報と、Ｓ１８で得たフィルタリングのためのキーワードとをマッチング検索する。マッチした場合にはステップＳ１２へ進み、マッチしなかった場合にはステップＳ１６へ進む。
【００３３】
図３のステップＳ１２で、ブラウザ判定部１２は、メモリに保持されていた機器内部の情報を取得する。
【００３４】
図３のステップＳ１３で、ブラウザ判定部１２は、ステップＳ１２で得た情報から、ブラウザが存在するかどうかを、任意の判定アルゴリズムにしたがって判定する。ブラウザが存在する場合にはステップＳ１４へ進み、ブラウザが存在しない場合にはステップＳ１６へと進む。
【００３５】
図３のステップＳ１４で、ブラウザ情報取得部１３は、現在ブラウザが立ち上がっているかどうか任意のアルゴリズムによって判定する。ブラウザが立ち上がっている場合には、ステップＳ１５へと進み、ブラウザが立ち上がっていない場合にはＳ１６へと進む。
【００３６】
図３のステップＳ１５で、ブラウザ処理部１４は、ブラウザの機能を用いてＵＲＬからホームページのデータを取得する。
【００３７】
図３のステップＳ１６で、表示制御部１５は、ＵＲＬをそのままビットマップに変換する。
【００３８】
図３のステップＳ１７で、表示制御部１５は、入力された信号を図１の表示機器に対してデータ転送する。
【００３９】
以上のように、本実施の形態１によれば、字幕の文字列から、ＵＲＬアドレス情報を取得し、その値を保持するＵＲＬ検出部１０と、機器の内部情報を保持する機器内部情報記憶装置部１７と、機器内部情報記憶装置部１７から機器内部情報を取得し、ブラウザが実装されているかどうかを判別するブラウザ判定部１２と、字幕処理などへの受け渡しを行う、表示制御部１５と、ブラウザへＵＲＬの受け渡しを行うブラウザ処理部１４とを備えた機器を提供することにより、字幕からＵＲＬを入力することが簡潔となり、また、受信の消費電力を抑えることが可能となる。また、メーカとしては、プラットフォームに本発明を搭載することで、ブラウザを後から追加した場合においても特別な追加機能を必要とすることがなく、字幕からＵＲＬを取得、表示する機能を使用することが可能となる。
（実施の形態２）
以下、本発明の実施形態２にかかるテレビ放送受信端末について説明する。本発明の実施形態１では、ブラウザ判定部１２においてブラウザが存在しなかった場合、ＵＲＬをそのまま表示する処理に自動で移した。本実施の形態２では、外部メモリや内部メモリに対して、ＵＲＬ情報を保存し、後でネットワークにつながっている機器においてＵＲＬを別途入力し、目的のホームページを表示するといったことが可能となる。図２は、テレビ放送受信端末の構成を示すブロック図である。ブロック番号１０から１８までは、実施形態１と同じであるため、説明は割愛する。
実施の形態２では、実施の形態１に、外部メモリ判定部１９、内部メモリ２０、外部メモリ２１、保存スイッチ２２のブロックを追加して備えている。
【００４０】
外部メモリ判定部１９では、機器内部情報から、外部メモリのシステムが存在するか、また、外部メモリが現在受信機に挿入されているか、また、外部メモリの空き容量が存在するかどうかを判定する。前記条件は真である場合、外部メモリに対してＵＲＬ情報を保存する。このときの保存フォーマットは任意である。前記条件が偽である場合、内部メモリに対してＵＲＬ情報を保存する。
【００４１】
内部メモリ２０は、受信機内部にあらかじめプリセットされているメモリであり、揮発性、不揮発性等の素材で構成される記憶装置である。
【００４２】
外部メモリ２１は、コンパクトフラッシュ（登録商標）、ＳＤカード、メモリースティックなどの外部に持ち運び可能なメモリを指す。
【００４３】
保存スイッチ２２では、ＵＲＬをそのまま表示するか、メモリに保存するかの判定をユーザの入力によって行う。ＵＲＬをそのまま表示する場合、外部メモリ判定部１９はスキップして、表示制御部１５に処理を移す。メモリに保存する場合、外部メモリ判定部１９に処理を移す。
【００４４】
なお、外部メモリ判定部１９では、外部メモリや内部メモリが存在、または空きがあった場合に自動で保存処理を行っていたが、ユーザからのスイッチにより、ディスプレイにそのままＵＲＬ表示するように判定部を設けても良い。
以下、ブラウザ判定から、ＵＲＬデータを保存するまで、図４のフローチャートを参照して説明する。
【００４５】
図４のステップＳ２０で、外部メモリ判定部１９は、機器内部情報から、外部メモリが存在するかどうかを判定する。
【００４６】
図４のステップＳ２１で、外部メモリ判定部１９は、外部メモリに対して、任意のフォーマットでデータを書き出す。
【００４７】
図４のステップＳ２２で、外部メモリ判定部１９は、機器内部情報から、内部メモリに空きがあるかどうかを判定する。
【００４８】
図４のステップＳ２３で、外部メモリ判定部１９は、内部メモリに対して、任意のフォーマットでデータを書き出す。
以  上のように、本実施の形態２によれば、ユーザの設定によってＵＲＬをそのまま表示するか、外部メモリカードにデータを保存しておくかを判定する保存スイッチ２２と、外部メモリ２１と、内部メモリ２０と、外部メモリが存在した場合には外部メモリへ、存在しない場合には内部メモリに対してデータを保存する外部メモリ判定部１９とを備えることにより、ブラウザが存在しない場合に、単純に画面に対してＵＲＬを表示するだけでなく、外部メモリに対してＵＲＬ情報を保存することが可能となり、外部メモリをネットワークに接続された機器でオープンし、ＵＲＬデータを読み出し、目的のホームページを取得することが可能となる。
【産業上の利用可能性】
【００４９】
本発明は、例えばテレビ受信機能と通信機能を併有した携帯電話などの携帯端末に好適である。
【図面の簡単な説明】
【００５０】
【図１】本発明の実施形態１に係るテレビ放送受信端末の構成を示すブロック図
【図２】本発明の実施形態２に係るテレビ放送受信端末の構成を示すブロック図
【図３】本発明の実施形態１に係るテレビ放送受信端末の動作を示すフローチャート
【図４】外部メモリ判定部１９の動作を示すフローチャート
【符号の説明】
【００５１】
１０    ＵＲＬ検出部
１１    フィルタリング部
１２    ブラウザ判定部
１３    ブラウザ状態取得部
１４    ブラウザ処理部
１５    表示制御部
１６    ユーザ入力部
１７    機器内部情報記憶装置部
１８    表示部
１９    外部メモリ判定部
２０    内部メモリ
２１    外部メモリ
【図１】
2007088861.tif 000003
【図２】
2007088861.tif 000004
【図３】
2007088861.tif 000005
【図４】
2007088861.tif 000006